(57)【要約】      （修正有）【課題】チラシやポスターなど広告等の印刷物の交換が容易で、かつ、雨の浸入を防いで広告等の印刷物を保護することができる印刷物保持ホルダを提供する。【解決手段】可撓性を有するシート状の着磁部材１と、前記着磁部材に一面が接着され一部に開口部２０を有する透明性の有るケース２とを有し、該ケースにチラシやポスター等の印刷物４を収納して保持して対象物に貼り付けるようにした印刷物保持ホルダ１００であって、前記開口部を、プラスチックファスナー２１によって開閉するようにした。【選択図】図１
0003146220.tif 000002
【実用新案登録請求の範囲】
【請求項１】
可撓性を有するシート状の着磁部材と、前記着磁部材に一面が接着され一部に開口部を有する透明性の有るケースとを有し、該ケースにチラシやポスター等の印刷物を収納して保持して対象物に貼り付けるようにした印刷物保持ホルダであって、
前記開口部は、プラスチックファスナーによって開閉されることを特徴とする印刷物保持ホルダ。
【請求項２】
前記開口部は、前記対象物に貼り付けられる際に、開口側が下方向になるように配置されることを特徴とする請求項１に記載の印刷物保持ホルダ。
【請求項３】
前記開口部は、面ファスナーによって開閉されることを特徴とする請求項１または２に記載の印刷物保持ホルダ。
【考案の詳細な説明】
【技術分野】
【０００１】
本考案は、印刷物保持ホルダに関し、特に、チラシ等の印刷物を雨風から保護するとともにその取り付けを容易にした印刷物保持ホルダに関する。
【背景技術】
【０００２】
一般に、チラシやポスター等の印刷物をもって広告する場合には、その印刷物をテープやのり等で、建物・電柱・販売機・壁・車輌内外等に直接貼り付けて行なう。
しかしながら、印刷物を、テープやのり等で、直接、建物・電柱・販売機・壁・車輌内等に貼り付ける場合、貼ったり剥がしたりを繰り返すうちに、接着剤が経時劣化してこれらの建物等にこびりついてしまい美観を損なうという問題がある。
【０００３】
そこで、このような問題を解決するため、例えば、特許文献１に示すようなマグネットラバー付クリアケースが提案されている。
このマグネットラバー付クリアケースは、クリアケース本体の片面とマグネットラバーの非磁力面を貼り付けたものであり、クリアケースにチラシ・ポスター等の印刷物や会社名、会社ロゴ等の内容物を入れ、マグネットラバーにより壁面等と接着するようにしたものである。
【０００４】
このマグネットラバー付クリアケースによれば、マグネットラバーを用いることにより、接着剤等の粘着物が不要となり、かつ、容易に対象物に取り付けることができ、また、撤去の時も粘着物が残らないため美観が損なわれないという効果がある。また、チラシ・ポスター等の印刷物をクリアケースに入れて、車輌、特に、タクシー・バス等に張り付けることで広域での移動広告活動ができる。
【０００５】
【特許文献１】実用新案登録第３０７８９１６号公報（第１頁、図１）
【考案の開示】
【考案が解決しようとする課題】
【０００６】
しかしながら、特許文献１に記載されるマグネットラバー付クリアファイルによれば以下のような問題がある。
（１）広告等の印刷物はクリアファイルの上部開口部から収納されるものであり、その収納状態で建物内あるいは電車やバス等の車輌内等に貼り付けるものであるため、例えば、広告等の印刷物を交換する際には、その度毎にマグネットラバー付クリアファイルを取り外し、広告等の印刷物を交換するという煩雑な作業が必要となるという問題がある。特に、作業者の身長差によっては、作業に要する時間が大きく異なるという問題がある。
【０００７】
（２）また、この広告等の印刷物を収納したクリアファイルを、建物・掲示板等の屋外にあるもの、若しくは、電車・バス等の車輌外部のスチール部分に貼り付けられる場合には、上部開口部が開口した状態であるため、例えば、雨風のとき上部開口部から雨がクリアファイル内に浸入し印刷物が濡れたり破れてしまったりする問題がある。
【０００８】
従って、本考案の目的は、広告等の印刷物の交換が容易で、かつ、雨の浸入を防いで広告等の印刷物を保護することができる印刷物保持ホルダを提供することにある。
【課題を解決するための手段】
【０００９】
本考案は、上記の目的を達成するために、可撓性を有するシート状の着磁部材と、前記着磁部材に一面が接着され一部に開口部を有する透明性の有るケースとを有し、該ケースにチラシやポスター等の印刷物を収納して保持して対象物に貼り付けるようにした印刷物保持ホルダであって、前記開口部は、プラスチックファスナーによって開閉されることを特徴とする印刷物保持ホルダを提供するものである。
前記開口部は、を特徴とする印刷物保持ホルダを提供するものである。
【００１０】
以上の構成において、前記開口部は、前記対象物に貼り付けられる際に、開口側が下方向になるように配置されることが望ましく、また、面ファスナーによって開閉されることが望ましい。
【考案の効果】
【００１１】
以上から明らかなように、本考案は、可撓性を有するシート状の着磁部材と、前記着磁部材に一面が接着され一部に開口部を有する透明性の有るケースとを有し、該ケースにチラシやポスター等の印刷物を収納して保持して対象物に貼り付けるようにした印刷物保持ホルダであって、前記開口部を、プラスチックファスナーによって開閉するようにしたので、屋外に設置した場合に、雨の浸入を防ぐことができ、内容物が濡れ破れることにより美観が損なわれることを防止することが可能となる。
【００１２】
また、クリアケースの開口部が下方向となるように配置するようにしたので、内容物を交換する際に、作業者の身長差、年齢を問わず、その度毎にマグネットラバーを取り外すことを要することなく、広告物等の内容物の交換が容易に可能となる。
【００１３】
さらに、プラスチックファスナー部分を、面ファスナーに代替することも可能であり、これにより安価に、かつ、繰り返しの使用にも耐えることが可能となる。
【考案を実施するための最良の形態】
【００１４】
以下、図面を参照しながら、本実施の形態に係る印刷物保持ホルダを詳細に説明する。
図１は、本実施の形態に係る印刷物保持ホルダの外観図である。
図に示すように、この印刷物保持ホルダ１００は、マグネットラバー１とクリアケース２とから構成されている。
【００１５】
マグネットラバー１は、周知のように、ゴムと酸化金属粉末(例えば、バリウムフェライト粉末)を練り合わせて、押し出し、加硫後、着磁加工を施した永久磁石であって、柔軟性に富み、必要に応じて曲げることができ、また、刃物で所望の面積・形状に切断することができる。マグネットラバー１は、その名のとおり着磁加工が施された永久磁石であるので、建物、掲示板等の屋外又は電車、バス等の金属部分に貼り付けることができる。また、略全面で対象物に貼り付くので、一定以上の強度が保障される。
【００１６】
クリアケース２は、透明の樹脂シートを袋状・ケース状に形成したものであり、一端の開口部にはスライダ２２によって開口部を開閉自在に連結するプラスチックファスナー２１を有している。このプラスチックファスナー２１によってクリアケース２を開閉させ、印刷物４を収納したり取り出したりする。なお、このクリアケース２の一面は、マグネットラバー１に接着剤（図示せず）等で接着されている。
【００１７】
以下、本考案の実施の形態による印刷物保持ホルダの使用方法を図1を参照しながら説明する。
まず、この印刷物保持ホルダ１００を建物・電柱・販売機・壁・車輌内外等に貼り付ける際には、クリアケース２の開口部２０側が下側又は左右側面側に向くように位置させ、マグネットラバー１により貼り付ける。そして、クリアケース２のプラスチックファスナー２１によって開口部を開口させ、チラシやポスター等の印刷物４をクリアケース２内に収納し、プラスチックファスナー２１によって開口部を閉口する。
【００１８】
そして、印刷物の収納期間（例えば、広告期間）が経過した場合には、同様にクリアケース２のプラスチックファスナー２１によって開口部を開口させ、印刷物をクリアケース２から取り出す。新たに収納するチラシやポスター等の印刷物がある場合には、上述の動作を再度行なう。
【００１９】
なお、印刷物保持ホルダ１００の取り付けの際に、クリアケース２の開口部側が下側又は左右側面に向くようにしたのは、屋外・車外等所定の物理空間の外部に印刷物保持ホルダ１００を貼り付ける場合は、雨の浸入を防止するためであり、また、屋内・車両内等所定の物理空間の内部に印刷物保持ホルダ１００を対象物に貼り付ける場合には、印刷物を収納しあるいは取り出す作業者の身長差を考慮しその作業を容易にするためである。
【００２０】
このように、本実施の形態によれば、開口部にプラスチックファスナーを設けることにより、屋外等所定の物理空間の外部に印刷物保持ホルダ１００を設置した場合に、雨の浸入を防ぐことができ、内容物が濡れ破れることにより美観が損なわれることを防止することが可能となる。また、屋内・車両内等所定の物理空間の内部に印刷物保持ホルダ１００を対象物に貼り付ける場合には、その度毎に印刷物保持ホルダを対象物から取り外すことを要することなく、印刷物を収納しあるいは取り出す作業者が容易に収納・取り出し作業を行なうことができる。
【００２１】
なお、以上の実施の形態では、クリアケースの開閉手段として、プラスチックファスナーを有する構成としたが、これに代えて、雄・雌の面ファスナー（マジックテープ：登録商標）による構成としてもよい。このようにすることにより、安価に製造することができる。また、図では、マグネットラバー１は、クリアケース２の全面に相当する大きさの形状を有する構成となっているが、これに限られるものではなく、対象物に貼り付けた際一定以上の貼り付け強度を有するのであれば、どのような形状であっても良い。
【図面の簡単な説明】
【００２２】
【図１】マグネットラバー付クリアファイルの構成図である。
【符号の説明】
【００２３】
１  マグネットラバー
２  クリアケース
４  印刷物
２０  開口部
２１  プラスチックファスナー
２２  スライダ
１００  印刷物保持ホルダ
【図１】
0003146220.tif 000003